(57)【特許請求の範囲】
【請求項１】
４枚の外周壁を構成する第１側板から第４側板及び側板糊代片を折線を介して横一方向に順次連接し、
前記第４側板の下端には、折線を介して第１下蓋を設け、
前記第２側板の下端には、底部緩衝部を構成する第２下蓋、保持板、載置板、底部糊代板を折線を介して縦一方向に設け、
前記第１側板及び前記第３側板の下端には、折線を介して補助下蓋をそれぞれ設けるとともに、前記補助下蓋に折線を介して前記第１下蓋、前記第２下蓋に貼着させる補助下蓋糊代片をそれぞれ設け、
前記第２側板の上端には、仕切部を構成する仕切板糊代板、開口部を有する仕切板、前記保持板に貼着される立上板を折線を介して縦一方向に設けるとともに、前記仕切板に折線を介して横方向に支持板を設け、
前記第１側板から第４側板におけるいずれかの側板の上端には、折線を介して上蓋を設けるとともに、前記上蓋の上端に折線を介して差し込み片を設けてなり、
前記各折線にしたがって各構成板及び構成片を折曲し、底部糊代板及び仕切部糊代板を第２側板に貼着し、保持板を立上板に貼着し、それぞれの補助下蓋糊代片を第１下蓋、第２下蓋に貼着し、さらに側板糊代片を第１側板に貼着して組み立てて、前記底部緩衝部及び前記仕切部を一体的に形成し、前記開口部から収容物を収容して前記支持板と前記立上板とをロック機構にて係止させることを特徴とする包装用箱。
【請求項２】
前記支持板は、折り畳み状態にて前記立上板上に折曲して重合される第１支持板を少なくとも備えてなり、前記組立状態にて前記第１支持板が前記立上板によって押し開かれることで前記ロック機構が作用する請求項１に記載の包装用箱。
【請求項３】
前記支持板は、折り畳み状態にて前記第３側板上に重合される第２支持板を少なくとも備えてなり、前記組立状態にて前記第２支持板が前記第３側板の起き上がりに伴って、内側方向に折曲されることにより生ずる元の折曲されていない状態に戻ろうとする復元力により前記第３側板を外側方向へ押圧する請求項１又は請求項２に記載の包装用箱。
【請求項４】
前記組立状態にて、前記第４側板に当接する当接片を前記支持板に備える請求項１から請求項３のいずれか１項に記載の包装用箱。
【請求項５】
廃棄に際する折り畳み時に、前記第２下蓋の側面が前記第１側板に当接するのを回避する底部折曲片を前記第２下蓋に備える請求項１から請求項４のいずれか１項に記載の包装用箱。
【請求項６】
廃棄に際する折り畳み時に、前記立上板の側面が前記第１側板に当接するのを回避する仕切部折曲片を前記立上板に備える請求項１から請求項５のいずれか１項に記載の包装用箱。
【請求項７】
前記仕切部折曲片は、前記組立状態にて前記第４側板に当接する請求項６に記載の包装用箱。
【発明の詳細な説明】
【技術分野】
【０００１】
本発明は、食品、飲料、医薬品等を収容した小型容器等の破損し易い収容物を保護する緩衝機能を備えた包装用箱に関するものである。
【背景技術】
【０００２】
従来より、内部にパッキン等の充填物を設けず、外部からの衝撃等による破損を防止する緩衝用の仕切部を備え、ワンタッチで組み立てることができる包装用箱が公知である。
【０００３】
例えば、互いに連接された側面と、組立状態で連接された側面で形成される一開口端部を閉鎖する底部分が設けられ、底部分は、第一底蓋片と第二底蓋片と一対の底フラップと糊付片が設けられ、第一底蓋片の端部には、収容物を保持する緩衝用の仕切り片であり組立状態で第一底蓋片から立ち上がる立上片と、第二底蓋片の裏面に重ねられる第一底部ロック片が設けられ、第二底蓋片の端部には、組立状態で第二底蓋片から立ち上り立上片に重ねられる係止板と、第一底蓋片の裏面に重ねられる第二底部ロック片が設けられ、組立状態で第一底部ロック片は第二底蓋片の係止板に交差して係止され、第二底部ロック片は第一底蓋片の立上片に交差して係止され、底部分の形状を保持し、仕切り片は、組立状態で底部分から立ち上がる立上片と上面片と仕切り用糊付片が設けられ、立上片と上面片の間の折罫線上には、収容物が嵌合される打ち抜き部が形成され、係止板と側面との間には空間が形成され、空間に、収容物の取り扱い説明書等を収容可能とする緩衝機能付包装用箱が公知である（特許文献１参照）。
【０００４】
これにより、包装用箱に収容される収容物が上面片における打ち抜き部の周縁部によって、当該収容物の周囲が保持され、全体として緩衝効果を有して保持することができるものである。
【先行技術文献】
【特許文献】
【０００５】
【特許文献１】特許第５４８４７５４号公報
【発明の概要】
【発明が解決しようとする課題】
【０００６】
しかしながら、上記構造では、組み立て時に底部が引き起こされて形成され、第一底部ロック片が第二底蓋片の端部に重ねられ交差して係止されるとともに、第二底部ロック片が第一底蓋片の端部に重ねられ交差して係止されるものであるため、打ち抜き部に嵌合して収容される収容物を取り出す際に、打ち抜き部に引っ掛かることで、仕切り片が浮き上がってしまい、円滑な取り出しを行うことができない虞があり、使用時における作業効率の低減が懸念されるものであった。
【０００７】
そこで、本発明はこのような問題点を解決するものであって、食品、飲料、医薬品等を収容した小型容器等の破損し易い収容物を保護する緩衝機能を備えるとともに、当該収容物の取り出しを容易に行うことができる包装用箱を提供することを課題とする。
【課題を解決するための手段】
【０００８】
前記問題点を解決するために、本発明の請求項１に記載の包装用箱は、４枚の外周壁を構成する第１側板から第４側板及び側板糊代片を折線を介して横一方向に順次連接し、前記第４側板の下端には、折線を介して第１下蓋を設け、前記第２側板の下端には、底部緩衝部を構成する第２下蓋、保持板、載置板、底部糊代板を折線を介して縦一方向に設け、前記第１側板及び前記第３側板の下端には、折線を介して補助下蓋をそれぞれ設けるとともに、前記補助下蓋に折線を介して前記第１下蓋、前記第２下蓋に貼着させる補助下蓋糊代片をそれぞれ設け、前記第２側板の上端には、仕切部を構成する仕切板糊代板、開口部を有する仕切板、前記保持板に貼着される立上板を折線を介して縦一方向に設けるとともに、前記仕切板に折線を介して横方向に支持板を設け、前記第１側板から第４側板におけるいずれかの側板の上端には、折線を介して上蓋を設けるとともに、前記上蓋の上端に折線を介して差し込み片を設けてなり、前記各折線にしたがって各構成板及び構成片を折曲し、底部糊代板及び仕切部糊代板を第２側板に貼着し、保持板を立上板に貼着し、それぞれの補助下蓋糊代片を第１下蓋、第２下蓋に貼着し、さらに側板糊代片を第１側板に貼着して組み立てて、前記底部緩衝部及び前記仕切部を一体的に形成し、前記開口部から収容物を収容して前記支持板と前記立上板とをロック機構にて係止させることを特徴とするものである。
【０００９】
また、本発明の請求項２に記載の包装用箱は、請求項１に記載の包装用箱において、前記支持板は、折り畳み状態にて前記立上板上に折曲して重合される第１支持板を少なくとも備えてなり、組立状態にて前記第１支持板が前記立上板によって押し開かれることで前記ロック機構が作用するものである。
【００１０】
また、本発明の請求項３に記載の包装用箱は、請求項１又は請求項２に記載の包装用箱において、前記支持板は、折り畳み状態にて前記第３側板上に重合される第２支持板を少なくとも備えてなり、前記組立状態にて前記第２支持板が前記第３側板の起き上がりに伴って、内側方向に折曲されることにより生ずる元の折曲されていない状態に戻ろうとする復元力により前記第３側板を外側方向へ押圧するものである。
【００１１】
また、本発明の請求項４に記載の包装用箱は、請求項１から請求項３のいずれか１項に記載の包装用箱において、前記組立状態にて、前記第４側板に当接する当接片を前記支持板に備えるものである。
【００１２】
また、本発明の請求項５に記載の包装用箱は、請求項１から請求項４のいずれか１項に記載の包装用箱において、廃棄に際する折り畳み時に、前記第２下蓋の側面が前記第１側板に当接するのを回避する底部折曲片を前記第２下蓋に備えるものである。
【００１３】
また、本発明の請求項６に記載の包装用箱は、請求項１から請求項５のいずれか１項に記載の包装用箱において、廃棄に際する折り畳み時に、前記立上板の側面が前記第１側板に当接するのを回避する仕切部折曲片を前記立上板に備えるものである。
【００１４】
また、本発明の請求項７に記載の包装用箱は、請求項６に記載の包装用箱において、前記仕切部折曲片は、前記組立状態にて前記第４側板に当接するものである。
【発明の効果】
【００１５】
本発明の包装用箱では、底部緩衝部にて収容物の底部を浮かせた状態で載置し、仕切板の開口部にて収容物の胴部を保持することができる。また、収容物の取り出しに際して、仕切部のロック機構が作用することで、仕切板の上方への移動が規制されるので、収容物を円滑に取り出すことができる。
【図面の簡単な説明】
【００１６】
【図１】本発明の実施例１における包装用箱を展開した状態の表面図である。
【図２】本発明の実施例１における包装用箱を展開した状態の裏面図である。
【図３】本発明の実施例１における包装用箱を図２に示す状態から折り進めた状態説明図である。
【図４】本発明の実施例１における包装用箱を図３に示す状態から折り進めた状態説明図である。
【図５】本発明の実施例１における包装用箱を図４に示す状態から折り進めた状態説明図である。
【図６】本発明の実施例１における包装用箱を図５に示す状態から折り進めた状態説明図である。
【図７】本発明の実施例１における包装用箱の組立状態の一部破断拡大斜視図である。
【図８】本発明の実施例１における包装用箱の組立状態の平面図である。
【図９】本発明の実施例１における包装用箱の図８のＡ−Ａ断面図である。
【図１０】本発明の実施例における包装用箱に小型容器及び添付書類を収容した状態の斜視図である。
【図１１】本発明の実施例２における包装用箱を展開した状態の裏面図である。
【図１２】本発明の実施例２における包装用箱の組立状態の平面図である。
【図１３】本発明の実施例２における包装用箱の図１２のＢ−Ｂ断面図である。
【発明を実施するための形態】
【００１７】
以下、本発明の実施の形態における包装用箱を図面に基づいて説明する。当該包装用箱において、上蓋が設けられる側を当該箱の上方とし、下蓋が設けられる側を当該箱の下方とする。また、展開図において、上下方向を縦とし、左右方向を横とする。以下の実施例において、包装用箱に収容される収容物は瓶状の小型容器とされるが、これに限られるものではない。
【実施例１】
【００１８】
本発明に係る包装用箱は、食品、飲料、医薬品等を収容した小型容器Ｂの底部を底部緩衝部にて緩衝機能を付与した状態で載置し、仕切部にて小型容器Ｂの胴部を保持するとともに、小型容器Ｂの取り出しに際して、底部緩衝部と一体的に形成される仕切部のロック機構が作用することで、小型容器Ｂを円滑に取り出すことができるものである。
【００１９】
当該包装用箱は、一枚の台紙から形成されており、図１及び図２に示すような展開図からなるものである。図１は、当該包装用箱を展開した状態の表面図であり、図２は、その裏面図である。
【００２０】
図２に示すように、包装用箱は展開した状態において、４枚の外周壁を構成する第１側板から第４側板及び側板糊代片５を折線ａ、ｂ、ｃ、ｄを介して横一方向に順次連接している。尚、本実施例においては、右側板１、前側板２、左側板３、後側板４、側板糊代片５とを折線ａ、ｂ、ｃ、ｄを介して横一方向に順次連設している。
【００２１】
右側板１、前側板２、左側板３、後側板４は、略同一形状となるよう形成される。側板糊代片５の横寸法は、右側板１等における横寸法の略１／３とされる。また、側板糊代片５の縦寸法は、右側板１等における縦寸法と略同等とされる。更に、図１に示すように、第１糊代片５の表面部は、糊等が塗布される貼着部Ｐとされる。
【００２２】
図２に示すように、右側板１及び左側板３には、夫々上端に折線ｅ、ｆを介して内蓋６を構成する上内蓋６ａ、６ｂが設けられる。一方、下端には折線ｇ、ｈを介して補助蓋７を構成する補助下蓋７ａ、７ｂが設けられる。補助下蓋７ａ、７ｂは、例えば略三角形状に形成され、一方の傾斜片から折線ｉ、ｊを介して補助蓋７の糊代片を構成する補助下蓋糊代片８ａ、８ｂが設けられる。同図に示すように、補助下蓋糊代片８ａ、８ｂの裏面部は、糊等が塗布される貼着部Ｐとされ、後述する第１下蓋１１、第２下蓋１２に貼着される。
【００２３】
後側板４には、上端に折線ｋを介して上蓋９が設けられ、更に上蓋９の上端には折線ｌを介して差し込み片１０が設けられる。一方、下端には折線ｍを介して第１下蓋１１が設けられる。
【００２４】
また、前側板２には、下端に折線ｎを介して第２下蓋１２が設けられる。第２下蓋１２は、例えば下方側を短辺とする略台形状に形成され、一方の傾斜片から折線ｏを介して底部折曲片１３が設けられる。当該底部折曲片１３は、包装用箱を折り畳む際に、底部折曲片１３の側面が右側板１に当接することで、折り畳み作業の妨げとなるのを防止するために設けられる。第２下蓋１２の縦寸法は、右側板１等における横寸法より短く形成される。
【００２５】
更に、第２下蓋１２には、下端に折線ｐを介して保持板１４が設けられる。また、保持板１４には、下端に折線ｑを介して載置板１５が設けられる。更に、載置板１５には、下端に折線ｒを介して底部糊代板１６が設けられる。保持板１４の縦寸法は、収容される小型容器Ｂが包装用箱の底部から底上げされる分の寸法とされる。また、載置板１５の縦寸法は、右側板１等における横寸法より短く形成され、第２下蓋１２の縦寸法と略同等に形成される。また、底部糊代板１６の横寸法は、載置板１５の横寸法と略同等に形成される。
【００２６】
図１及び図２に示すように、保持板１４の表面部、底部糊代板１６の裏面部は、糊等が塗布される貼着部Ｐとされる。また、必要に応じて、載置板１５の縦方向の適宜領域に線状の補強リブ１５ａを設けることもできる。そして、少なくとも第２下蓋１２、保持板１４、載置板１５及び底部糊代板１６は縦一方向に連接され、小型容器Ｂの底部を載置させる底部緩衝部を構成する。
【００２７】
また、前側板２には、上端に折線ｓを介して仕切部糊代板１７が設けられる。仕切部糊代板１７の横寸法は、前側板２の横寸法と略同等に形成される。また、図２に示すように、仕切部糊代板１７の裏面部は、糊等が塗布される貼着部Ｐとされる。
【００２８】
また、仕切部糊代板１７には、上端に折線ｔを介して仕切板１８が設けられる。当該仕切板１８には、小型容器Ｂを収容するための開口部１９が設けられる。仕切板１８の縦寸法は、載置板１５の縦寸法と略同等に形成され、仕切板１８の横寸法は、仕切部糊代板１７の横寸法と略同等に形成される。本実施例においては、開口部１９は、例えば、上下端部が折線ｔ、ｗに沿うよう形成される略丸型提灯形状とされるが、これに限られるものではなく、小型容器Ｂの外形に嵌合し得る箇所を有して、小型容器Ｂと嵌合するよう形成されていればよい趣旨である。
【００２９】
また、仕切板１８には、左右端に折線を介して支持板が設けられる。当該支持板は、組立状態において、仕切板１８に対して略垂直となるよう折曲され、仕切板１８を支持するものである。具体的には、仕切板１８の左端に折線ｕを介して第１支持板２０が設けられ、右端に折線ｖを介して第２支持板２２が設けられる。当該第１支持板２０には、上端にロック機構を構成する係止片２１が突出して設けられる。当該係止片２１を除いた第１支持板２０の縦寸法、第２支持板２２の縦寸法は、仕切板１８の縦寸法と略同等に形成される。
【００３０】
更に、仕切板１８には、上端に折線ｗを介して立上板２３が設けられる。当該立上板２３は、保持板１４に貼着することで、仕切部と底部緩衝部とを連結するものである。また、立上板２３には、左端にロック機構を構成し、係止片２１に対応する切欠部２４が設けられる。
【００３１】
また、立上板２３の上端角部には、上端から切欠部２４にかけて折線ｘが設けられ、当該折線ｘにて区画される当該角部の領域は仕切部折曲片２５とされる。当該仕切部折曲片２５は、底部折曲片１３と同様にして、包装用箱を折り畳む際に、仕切部折曲片２５の側面が右側板１に当接することで、折り畳み作業の妨げとなるのを防止するために設けられる。そして、仕切部糊代板１７、仕切板１８、支持板及び立上板２３は連接されて、小型容器Ｂの胴部を保持する仕切部を構成する。
【００３２】
また、前側板２には、折線ｓとなる上端と複数の弱め線２６にて囲われる破断部が設けられる。例えば、当該上端から略Ｕ字状の弱め線２６が設けられ、前側板２における上端と略平行な下辺２６ａと、当該下辺２６ａの両端から上端とを連結する側辺２６ｂとを有する。
【００３３】
また、仕切部糊代板１７には、前側板２に重合した際、弱め線２６に対応する箇所に弱め線２７にて囲われる破断部が設けられる。例えば、当該下端から略Ｕ字状の弱め線２７が設けられ、前側板２における下端と略平行な上辺２７ａと、当該上辺２７ａの両端から下端とを連結する側辺２７ｂとを有する。また、同図に示すように、弱め線２７で囲われた裏面部の一部は、糊等が塗布される貼着部Ｐとされる。
【００３４】
更に、後側板４の下端には、折線ｍとなる下端と複数の弱め線２８にて囲われる破断部が設けられる。例えば、当該下端から円弧状の弱め線２８が設けられる。
【００３５】
このようにして展開図が形成される包装用箱は、図３から図１０に示すようにして各折線にしたがって折曲させ、所定箇所を貼着することによって組み立てられる。
【００３６】
組み立てられた包装用箱は、当該内部に小型容器Ｂの底部を底部緩衝部に載置することで、底部緩衝部と一体的に形成される仕切部のロック機構が作用し、仕切部の形状が保持されるものである。
【００３７】
以下、包装用箱の組み立て順序について、図３から図１０に基づいて詳細に説明する。図３から図６は、当該包装用箱における折り畳みの状態説明図である。図７は、包装用箱における組立状態の一部破断拡大斜視図である。図８は、包装用箱における組立状態の平面図である。図９は、図８のＡ−Ａ断面図である。図１０は、包装用箱に小型容器及び添付書類を収納した状態の斜視図である。以下の組み立て順序は一例であり、これに限られるものではないのは勿論である。
【００３８】
まず、図３に示すように、折線ｐにしたがって保持板１４、載置板１５及び底部糊代板１６をまとめて内側に折曲させる。このとき、底部折曲片１３が内側に折曲可能となるように、折線ｏにしたがって僅かに折曲させておくことが望ましい。
【００３９】
また、折線ｓにしたがって仕切部糊代板１７、仕切板１８及び立上板２３をまとめて内側に折曲させるとともに、折線ｔにしたがって仕切板１８及び立上板２３を外側へ折曲させる。当該状態において、底部糊代板１６及び仕切部糊代板１７における裏面部の貼着部Ｐを前側板２に貼着する。
【００４０】
次に、図４に示すように、折線ｎ、ｒにしたがって第２下蓋１２、保持板１４及び載置板１５を内側に折曲させるとともに、保持板１４を仕切板１８の上方に重合させる。
【００４１】
そして、図５に示すように、折線ｗにしたがって立上板２３を内側に折曲させるとともに、保持片１４の上方に重合させた状態で保持片１４における表面部の貼着部Ｐを立上板２３に貼着する。このとき、仕切部折曲片２５が内側に折曲可能となるように、折線ｘにしたがって僅かに折曲させておくことが望ましい。
【００４２】
また、折線ｇ、ｈにしたがって補助下蓋７ａ、７ｂを内側に折曲させるとともに、折線ｉ、ｊにしたがって補助下蓋糊代片８ａ、８ｂを外側に折曲させて、補助下蓋７ａ、７ｂにそれぞれ重合させる。更に、折線ｍにしたがって第１下蓋１１を内側に折曲させる。
【００４３】
最後に、折線ｕにしたがって第１支持板２０を内側に折曲させ、折線ａにしたがって右側板１を内側に折曲させ、補助下蓋糊代片８ａにおける裏面部の貼着部Ｐを第２下蓋１２に貼着するとともに、折線ｃにしたがって後側板４を内側に折曲させ、補助下蓋糊代片８ｂにおける裏面部の貼着部Ｐを第１下蓋１１に貼着する。これにより、下蓋を形成した状態とし、側板糊代片５における表面部の貼着部Ｐを右側板１に貼着する。このようにして、折曲及び貼着を行うことで、図６に示した状態とする。当該状態においては、包装用箱は扁平状に折り畳まれるとともに、底部緩衝部及び仕切部が内側に折り畳まれた状態となり、輸送、保管の際、スペースを不要とし非常に便利なものとなる。
【００４４】
次に、図６に示す状態において、包装用箱の左右方向から力を加えると、右側板１、前側板２、左側板３及び後側板４がそれぞれ起き上がり、外周壁を形成する。また、これに伴って、補助下蓋糊代８ａ、８ｂが貼着された第１下蓋１１、第２下蓋１２がそれぞれ起き上がり、相互に組み合わさることで箱底部が形成され、載置板１５の下方への押し込みに応じて、図７に示した状態となる。
【００４５】
当該状態において、包装用箱の内部においては、図７から図１０に示すように、立上板２３が保持板１４に貼着されることから、仕切部と底部緩衝部とが一体的に形成される。具体的には、前側板２の内側面に仕切部糊代板１７が重合して貼着されるとともに、折線ｔにしたがって仕切板１８が後側板４側に向けて略水平となるよう配置される。また、仕切部糊代板１７が貼着される前側板２の下方に底部糊代板１６が前側板２に重合して貼着されるとともに、折線ｒにしたがって載置板１５が後側板４側に向けて略水平となるよう配置される。そして、折線ｐ、ｑにしたがって略垂直となるよう配置される保持板１４に対して、折線ｗにしたがって略垂直となるよう配置される立上板２３が貼着されることで、仕切部と底部緩衝部とが一体的に形成される。
【００４６】
また、折り畳み時に第１支持板２０が折線ｕにしたがって内側に折曲され、立上板２３上に重合されることから、載置板１５の下方への押し込みに応じて、立上板２３によって右側板１側へと押し開かれて仕切板１８に対して略垂直となるよう配置され、第１支持板２０の係止片２１が立上板２３の切欠部２４に嵌まり込んで係止した状態となる。これにより、仕切部のロック機構が作用し、仕切部の形状が保持される。
【００４７】
また、第２支持板２２においては、折り畳み時に第１支持板２０のように折曲されることなく左側板３上に重合されることから、左側板３の起き上がりに伴って、摺動しながら折線ｖにしたがって内側へ折曲されるため、その復元力により左側板３を外側へ押圧した状態となり、仕切部が略中央位置に配置された状態となる。
【００４８】
また、図９に示すように、少なくとも第２下蓋１２、保持板１４及び載置板１５により形成される底部緩衝部の第２下蓋１２においては、第１下蓋１１上に重合されるとともに、載置板１５においては、保持板１４の縦寸法をもって、箱底部から浮いた状態となる。
【００４９】
更に、第２下蓋１２、載置板１５及び仕切板１８の縦寸法は、右側板１等における横寸法より短く形成されることから、図９及び図１０に示すように、立上板２３と後側板４との間に所定の間隙が形成される。当該間隙は、添付書類Ｍを収容する収容空間２９とされる。
【００５０】
このようにして組み立てられる包装用箱は、図１０に示すように、小型容器Ｂの底部を載置板１５に載置することで、仕切部が完全に立ち上がった状態となり、仕切部のロック機構が作用するとともに、小型容器Ｂが開口部１９に嵌合することで小型容器Ｂの胴部が保持され、全体として緩衝効果を有した状態で保持される。また、収容空間２９には添付書類Ｍが収容される。すなわち、包装用箱を組み立てながら、小型容器Ｂを開口部１９に収容することができる。これにより、組み立て時における作業効率を向上させることができる。
【００５１】
そして、小型容器Ｂの取り出しに際しては、緩衝効果を奏するよう開口部１９の外形が小型容器Ｂの外形と略同寸法に形成されることから、小型容器Ｂとともに仕切板１８が引っ張られて浮き上がろうとするが、第１支持板２０の係止片２１が立上板２３の切欠部２４に嵌まり込んで係止しているため、上方への移動が規制される。これにより、仕切板１８が浮き上がることがなく、小型容器Ｂの円滑な取り出しを行うことができ、使用時における作業効率を向上させることができる。
【００５２】
また、包装用箱における廃棄時の折り畳みに際しては、後側板４の弱め線２８にて囲われる破断部を押圧し、弱め線２８に沿って破断して包装用箱の下蓋を開口させる。そして、４枚の外周壁を扁平状に折り畳む。具体的には、図８に示すように、右側板１と後側板４が形成する包装用箱の角部と、前側板２と左側板３が形成する包装用箱の角部とを近づけるようにして折り畳む。このとき、折線ｏにしたがって底部折曲片１３が折曲されるとともに、折線ｘにしたがって仕切部折曲片２５が折曲されることから、これら底部折曲片１３、仕切部折曲片２５のそれぞれの側面が右側板１に当接するのを回避した状態で、摺動しながら折線に沿って折り畳むことができる。これにより、廃棄時における作業効率を向上させることができる。
【００５３】
以上、説明した本発明に係る包装用箱によれば、底部緩衝部にて小型容器Ｂの底部を浮かせた状態で載置し、仕切板１８の開口部１９にて小型容器Ｂの胴部を保持することができる。また、小型容器Ｂの取り出しに際して、仕切部のロック機構が作用することで、仕切板１８の上方への移動が規制されるので、小型容器Ｂを円滑に取り出すことができる。
【００５４】
また、上述した組み立て順序により、折線ａからｘにしたがって各構成板及び構成片を折曲すればよいので、自動製函機（サックマシン）で作製できるものとなり、量産化がし易いものとなる。
【実施例２】
【００５５】
本発明に係る包装用箱の実施例２について、図１１から図１３に基づいて説明する。本実施例２における包装用箱は、実施例１における構造と略同様であるが、仕切板１８に複数の開口部１９を設ける点、下蓋が係止して組み立てられる点で実施例１と相違するものである。図１１は、包装用箱を展開した状態の裏面図である。図１２は、包装用箱における組立状態の平面図である。図１３は、図１２のＢ−Ｂ断面図である。
【００５６】
実施例２における包装用箱は、図１１に示すように、前側板２、後側板４、底部緩衝部及び仕切部を構成する各構成板の横寸法を大きくすることで、仕切板１８に３つの開口部１９を設ける構造としたものである。また、第２支持片２２の上端には、組み立て時に後側板４に当接する当接片３０が突出して設けられる。本実施例においては、係止片２１と略同形状とされるが、これに限られるものではない。
【００５７】
また、第１下蓋１１の下端には係止片３１が突出して設けられ、当該係止片３１が第２下蓋１２に設けられる貫通孔３２に係止することで組み立てられる。また、貫通孔３２の周辺には、弱め線３３が設けられる。
【００５８】
このようにして展開図が形成される包装用箱は、実施例１と同様にして各折線にしたがって折曲させ、所定箇所を貼着することによって組み立てられる。そして、図１２及び図１３に示すように、組立状態にて、実施例１と同様にしてロック機構が作用するとともに、当接片３０が後側板４に当接する。これにより、第２支持板２２の当接片３０と後側板４との摺動抵抗がロック機構のような効果を奏することから、仕切板１８の横寸法が大きい場合であっても、第１支持板２０と対向位置にある第２支持板２２側が小型容器Ｂの取り出し時に浮き上がることがなく、実施例１と同様にして小型容器Ｂの円滑な取り出しを行うことができる。更に、第１支持板２０側において、仕切部折曲片２５を後側板４に当接させることもできる。
【００５９】
また、上記実施例１及び実施例２において、底部緩衝部及び仕切部は、前側板２以外の右側板１、左側板３、後側板４に設けることもできるし、側板糊代片５は、後側板４以外の右側板１、前側板２、左側板３に設けることもできる。すわなち、収容空間２９は、後側板４側に限らず、左側板３側、右側板１側、前側板２側に設けられる。
【００６０】
また、仕切部における第１支持片２０に切欠部２４を設けるとともに、立上板２３に係止片２１を設けることで、ロック機構を構成することもできるし、これに限られない。すなわち、組立状態にて、載置板１５の下方への押し込みに応じて、立上板２３によって右側板１側へと押し開かれることで、ロック機構が作用するよう構成されるものであればよい趣旨である。そして、第２支持板２２においては、仕切板１８の横寸法が大きい場合等、仕切部を保持するのに際して必要に応じて設ければよいのであって、仕切部が保持されるのであれば必ずしも設ける必要はない。
【００６１】
更に、底部折曲片１３、仕切部折曲片２５は、折り畳み時にてそれぞれの側面が右側板１に当接するのを回避させるために設けられるものであったが、これに限られることなく、当該箇所を切り欠いた状態として回避させることもできる。
【００６２】
更に、補助下蓋糊代片８ａ、８ｂの設ける位置を変更することで、補助下蓋糊代片８ａを第１下蓋１１に貼着し、補助下蓋糊代片８ｂを第２下蓋１２に貼着することもできる。
【００６３】
その他、形状、寸法、材質等を適宜変更して実施することが可能である。また、一部構成を省略することができるし、一部抽出した構成とすることができるのは勿論である。
【符号の説明】
【００６４】
１      右側板
２      前側板
３      左側板
４      後側板
５      側板糊代片
６      内蓋
６ａ、６ｂ  上内蓋
７      補助蓋
７ａ、７ｂ  補助下蓋
８      補助蓋糊代片
８ａ、８ｂ  補助下蓋糊代片
９      上蓋
１０    差し込み片
１１    第１下蓋
１２    第２下蓋
１３    底部折曲片
１４    保持板
１５    載置板
１６    底部糊代板
１７    仕切部糊代板
１８    仕切板
１９    開口部
２０    第１支持板
２１    係止片
２２    第２支持板
２３    立上板
２４    切欠部
２５    仕切部折曲片
２６、２７、２８、３３  弱め線
２９    収容空間
３０    当接片
３１    係止片
３２    貫通孔
Ｂ      小型容器
Ｍ      添付書類
Ｐ      貼着部
ａ〜ｘ  折線
【図１】
0006264564.tif 000002
【図２】
0006264564.tif 000003
【図３】
0006264564.tif 000004
【図４】
0006264564.tif 000005
【図５】
0006264564.tif 000006
【図６】
0006264564.tif 000007
【図７】
0006264564.tif 000008
【図８】
0006264564.tif 000009
【図９】
0006264564.tif 000010
【図１０】
0006264564.tif 000011
【図１１】
0006264564.tif 000012
【図１２】
0006264564.tif 000013
【図１３】
0006264564.tif 000014